(57)【要約】  【課題】  送信者、受信者の主観に応じた強度にて動作情報などを伝達すること。  【解決手段】  送信者側は、携帯電話２を振るなどして動作情報を入力し、受信者側の携帯電話３に送信する。受信者側は、動作情報受信し、これを用いて携帯電話３を振動させ、送信者の入力した動作を感じ取る。この際に予め送信者は自分の感覚で携帯電話２を振り、それぞれの振動の大きさを動作強度判定テーブルとして携帯電話２に記憶させておく。一方、受信者は、携帯電話３を各種の強度に渡って振動させ、自分が感じる振動の大きさを携帯電話３に記憶させておく。この記憶値を用いて送信者が携帯電話２を振る際の強弱の主観と、受信者が携帯電話３で感じ取る振動の強弱の主観差を調節する。  【選択図】  図１
2006014141.tif 000002
【特許請求の範囲】
【請求項１】
第１のユーザが加えた物理的な変化を検出する第１の端末装置と、第２のユーザに対して物理的な変化として情報を出力する第２の端末装置と、から構成された動作伝達システムであって、
前記第１の端末装置は、前記第１のユーザが加えた物理的な変化を用いて、物理量の変化を表す変化情報と、前記物理量に対して前記第１のユーザが主観的に設定した強度情報と、を前記第２の端末装置に送信し、
前記第２の端末装置は、前記第１の端末装置から前記変化情報と強度情報を受信し、前記受信した変化情報を、前記強度情報に対して前記第２のユーザが主観的に設定した増幅率で増幅し、物理的変化として出力する
ことを特徴とする動作伝達システム。
【請求項２】
第１のユーザから加えられた動作による所定の物理量の変化を検出する動作検出手段と、
前記検出した物理量の変化の大きさに対応する強度情報を取得する強度情報取得手段と、
前記検出した物理量の変化を表す変化情報と、前記取得した強度情報を送信する送信手段と、
を具備したことを特徴とする端末装置。
【請求項３】
前記検出した物理量の変化を規格化して変化情報を生成する変化情報生成手段を具備し、
前記送信手段は、前記生成した変化情報を送信することを特徴とする請求項２に記載の端末装置。
【請求項４】
前記動作検出手段で検出した物理量の変化に対して強度情報を指定する強度情報指定手段と、
当該検出した物理量の変化の大きさと、前記指定された強度情報と、を用いて物理量の変化の大きさと強度情報との対応関係を設定して記憶する強度情報記憶手段と、
を具備し、
前記強度情報取得手段は、前記記憶した対応関係を用いて強度情報を取得することを特徴とする請求項２に記載の端末装置。
【請求項５】
第２のユーザが第２の端末装置に加えた動作による所定の物理量の変化を表す変化情報と、当該物理量の変化の大きさに対応する強度情報と、を前記第２の端末装置から受信する受信手段と、
強度情報と増幅率の対応関係を記憶した増幅率記憶手段と、
前記受信した強度情報に対応する増幅率を前記増幅率記憶手段を用いて取得する増幅率取得手段と、
前記受信した変化情報を、前記取得した増幅率を用いて増幅し、出力情報を生成する出力情報生成手段と、
前記生成した出力情報を所定の物理的変化として出力する出力手段と、
を具備したことを特徴とする請求項２に記載の端末装置。
【請求項６】
前記出力手段で所定の物理的変化を出力し、これに対して前記第１のユーザが強度情報を指定する強度情報指定手段と、
前記強度情報を指定した際に出力されていた物理的変化の出力値を用いて強度情報と増幅率の対応関係を設定する増幅率設定手段と、
前記設定した強度情報と増幅率の対応関係を用いて、前記増幅率記憶手段に記憶されている強度情報と増幅率の関係を更新する更新手段と、
を具備したことを特徴とする請求項５に記載の端末装置。
【請求項７】
前記出力手段は、物理的変化を振動として出力する振動子であり、前記強度情報指定手段で前記第１のユーザが強度情報を指定する際の前記振動子の周波数を、前記第１のユーザが指定する周波数指定手段を具備したことを特徴とする請求項６に記載の端末装置。
【請求項８】
前記出力手段は、物理的変化を振動として出力する振動子であり、前記振動子は、一定振動数の基本振動を、前記生成した出力情報を用いて振幅変調を行って出力することを特徴とする請求項５に記載の端末装置。
【請求項９】
第２のユーザが第２の端末装置に加えた動作による所定の物理量の変化を表す変化情報と、当該物理量の変化の大きさに対応する強度情報と、を前記第２の端末装置から受信する受信手段と、
強度情報と増幅率の対応関係を記憶した増幅率記憶手段と、
前記受信した強度情報に対応する増幅率を前記増幅率記憶手段を用いて取得する増幅率取得手段と、
前記受信した変化情報を、前記取得した増幅率を用いて増幅し、出力情報を生成する出力情報生成手段と、
前記生成した出力情報を所定の物理的変化として出力する出力手段と、
を具備したことを特徴とする端末装置。
【請求項１０】
前記出力手段で所定の物理的変化を出力し、これに対して第１のユーザが強度情報を指定する強度情報指定手段と、
前記強度情報を指定した際に出力されていた物理的変化の出力値を用いて強度情報と増幅率の対応関係を設定する増幅率設定手段と、
前記設定した強度情報と増幅率の対応関係を用いて、前記増幅率記憶手段に記憶されている強度情報と増幅率の関係を更新する更新手段と、
を具備したことを特徴とする請求項９に記載の端末装置。
【請求項１１】
前記出力手段は、物理的変化を振動として出力する振動子であり、前記強度情報指定手段で前記第１のユーザが強度情報を指定する際の前記振動子の周波数を、前記第１のユーザが指定する周波数指定手段を具備したことを特徴とする請求項１０に記載の端末装置。
【請求項１２】
前記出力手段は、物理的変化を振動として出力する振動子であり、前記振動子は、一定振動数の基本振動を、前記生成した出力情報を用いて振幅変調を行って出力することを特徴とする請求項９に記載の端末装置。
【請求項１３】
動作検出手段と、強度情報取得手段と、送信手段と、を備えたコンピュータにおいて、
前記動作検出手段によって、第１のユーザから加えられた動作による所定の物理量の変化を検出する動作検出ステップと、
前記強度情報取得手段によって、前記検出した物理量の変化の大きさに対応する強度情報を取得する強度情報取得ステップと、
前記送信手段によって、前記検出した物理量の変化を表す変化情報と、前記取得した強度情報を送信する送信ステップと、
から構成されたことを特徴とする動作伝達方法。
【請求項１４】
受信手段と、強度情報と増幅率の対応関係を記憶した増幅率記憶手段と、増幅率取得手段と、出力情報生成手段と、出力手段と、を備えたコンピュータにおいて、
前記受信手段によって、第２のユーザが第２の端末装置に加えた動作による所定の物理量の変化を表す変化情報と、当該物理量の変化の大きさに対応する強度情報と、を前記第２の端末装置から受信する受信ステップと、
前記増幅率取得手段によって、前記受信した強度情報に対応する増幅率を前記増幅率記憶手段を用いて取得する増幅率取得ステップと、
前記出力情報生成手段によって、前記受信した変化情報を、前記取得した増幅率を用いて増幅し、出力情報を生成する出力情報生成ステップと、
前記出力手段によって、前記生成した出力情報を所定の物理的変化として出力する出力ステップと、
から構成されたことを特徴とする動作伝達方法。
【請求項１５】
第１のユーザから加えられた動作による所定の物理量の変化を検出する動作検出機能と、
前記検出した物理量の変化の大きさに対応する強度情報を取得する強度情報取得機能と、
前記検出した物理量の変化を表す変化情報と、前記取得した強度情報を送信する送信機能と、
をコンピュータで実現する動作伝達プログラム。
【請求項１６】
第２のユーザが第２の端末装置に加えた動作による所定の物理量の変化を表す変化情報と、当該物理量の変化の大きさに対応する強度情報と、を前記第２の端末装置から受信する受信機能と、
前記受信した強度情報に対応する増幅率を、強度情報と増幅率の対応関係を記憶した増幅率記憶手段を用いて取得する増幅率取得機能と、
前記受信した変化情報を、前記取得した増幅率を用いて増幅し、出力情報を生成する出力情報生成機能と、
前記生成した出力情報を所定の物理的変化として出力する出力機能と、
をコンピュータで実現する動作伝達プログラム。
【発明の詳細な説明】
【技術分野】
【０００１】
本発明は、動作伝達システム、端末装置、動作伝達方法、及び動作伝達プログラムに関し、より詳細には、動作の強度を送信者と受信者の主観に適合するように調整して伝達するものに関する。
【背景技術】
【０００２】
従来、端末装置を用いたコミュニケーションとして、電話、メール、チャットなどがある。
端末装置を介さない対面時におけるコミュニケーションでは、言葉を用いた意味伝達のみならず、表情、動作、気配など様々な手段で、感情、状態などの情報も伝達される。
【０００３】
これに対して、端末装置を用いたコミュニケーションでは、主に言葉を用いた意味伝達には有効であるが、言葉で表現されていない感情、状態、気配などを伝えることは困難である。
また、インターネット上で行われているバーチャルコミュニケーションにおいては、アバターと呼ばれる人型のコンピュータ合成画像なども用いられているが、人の感情を十分表現するには到っていない。
【０００４】
このように、現状では、端末装置を用いたコミュニケーションでは、極めて制限された情報のやり取りが行われているに過ぎない。
そこで、人間の動作情報を検出し、検出された動作情報を送信し、振動情報もしくは、温度情報として受信側で出力される通信装置が提案されている。
【０００５】
【特許文献１】特開２０００−４９９５６公報
【０００６】
この技術は、加速度センサ、サーミスタなどの検出部を備えた送信側の端末装置で検出された加速度、温度などの物理量を符号化して受信側の端末装置に送信し、受信側の端末装置では、受信した情報を用いて振動子（振動素子、バイブレータ）、温度調節手段を駆動し、等量の物理量を再現するものである。
【発明の開示】
【発明が解決しようとする課題】
【０００７】
しかし、動作情報から得られる物理量と動作者の意図、主観の関係には、個人差がある。また、振動や圧力、温度などの触覚にも個人差がある。
例えば、握力の強い人と握力の弱い人では、本人にとって普通に携帯電話などを握ったときの握力値は一般に異なり、また、手の筋、皮膚の状態、厚さなどによって、同じ振動を感じていても、強く感じる人と弱く感じる人がいる。
【０００８】
このようなことは、振動や温度などに関しても同様のことが言える。その結果、動作情報や温度情報などの物理量を伝える端末装置を用いたコミュニケーションでは、送信者側で検出した動作などを等量の物理量として受信側で再現した場合、送信者の意図、主観が正しく伝わらない可能性がある。
【０００９】
そこで、本発明の目的は、送信者、受信者の主観に応じた強度にて動作情報などを伝達することである。
【課題を解決するための手段】
【００１０】
本発明は、前記目的を達成するために、
第１のユーザが加えた物理的な変化を検出する第１の端末装置と、第２のユーザに対して物理的な変化として情報を出力する第２の端末装置と、から構成された動作伝達システムであって、前記第１の端末装置は、前記第１のユーザが加えた物理的な変化を用いて、物理量の変化を表す変化情報と、前記物理量に対して前記第１のユーザが主観的に設定した強度情報と、を前記第２の端末装置に送信し、前記第２の端末装置は、前記第１の端末装置から前記変化情報と強度情報を受信し、前記受信した変化情報を、前記強度情報に対して前記第２のユーザが主観的に設定した増幅率で増幅し、物理的変化として出力することを特徴とする動作伝達システムを提供する（第１の構成）。
また、本発明は、前記目的を達成するために、第１のユーザから加えられた動作による所定の物理量の変化を検出する動作検出手段と、前記検出した物理量の変化の大きさに対応する強度情報を取得する強度情報取得手段と、前記検出した物理量の変化を表す変化情報と、前記取得した強度情報を送信する送信手段と、を具備したことを特徴とする端末装置を提供する（第２の構成）。
第２の構成において、前記検出した物理量の変化を規格化して変化情報を生成する変化情報生成手段を具備し、前記送信手段は、前記生成した変化情報を送信するように構成することもできる（第３の構成）。
第２の構成において、前記動作検出手段で検出した物理量の変化に対して強度情報を指定する強度情報指定手段と、当該検出した物理量の変化の大きさと、前記指定された強度情報と、を用いて物理量の変化の大きさと強度情報との対応関係を設定して記憶する強度情報記憶手段と、を具備し、前記強度情報取得手段は、前記記憶した対応関係を用いて強度情報を取得するように構成することもできる（第４の構成）。
第２の構成において、第２のユーザが第２の端末装置に加えた動作による所定の物理量の変化を表す変化情報と、当該物理量の変化の大きさに対応する強度情報と、を前記第２の端末装置から受信する受信手段と、強度情報と増幅率の対応関係を記憶した増幅率記憶手段と、前記受信した強度情報に対応する増幅率を前記増幅率記憶手段を用いて取得する増幅率取得手段と、前記受信した変化情報を、前記取得した増幅率を用いて増幅し、出力情報を生成する出力情報生成手段と、前記生成した出力情報を所定の物理的変化として出力する出力手段と、を具備するように構成することもできる（第５の構成）。
第５の構成において、前記出力手段で所定の物理的変化を出力し、これに対して前記第１のユーザが強度情報を指定する強度情報指定手段と、前記強度情報を指定した際に出力されていた物理的変化の出力値を用いて強度情報と増幅率の対応関係を設定する増幅率設定手段と、前記設定した強度情報と増幅率の対応関係を用いて、前記増幅率記憶手段に記憶されている強度情報と増幅率の関係を更新する更新手段と、を具備するように構成することもできる（第６の構成）。
第６の構成において、前記出力手段は、物理的変化を振動として出力する振動子であり、前記強度情報指定手段で前記第１のユーザが強度情報を指定する際の前記振動子の周波数を、前記第１のユーザが指定する周波数指定手段を具備するように構成することもできる（第７の構成）。
第５の構成において、前記出力手段は、物理的変化を振動として出力する振動子であり、前記振動子は、一定振動数の基本振動を、前記生成した出力情報を用いて振幅変調を行って出力するように構成することもできる（第８の構成）。
また、本発明は、第２のユーザが第２の端末装置に加えた動作による所定の物理量の変化を表す変化情報と、当該物理量の変化の大きさに対応する強度情報と、を前記第２の端末装置から受信する受信手段と、強度情報と増幅率の対応関係を記憶した増幅率記憶手段と、前記受信した強度情報に対応する増幅率を前記増幅率記憶手段を用いて取得する増幅率取得手段と、前記受信した変化情報を、前記取得した増幅率を用いて増幅し、出力情報を生成する出力情報生成手段と、前記生成した出力情報を所定の物理的変化として出力する出力手段と、を具備したことを特徴とする端末装置を提供する（第９の構成）。
第９の構成において、前記出力手段で所定の物理的変化を出力し、これに対して第１のユーザが強度情報を指定する強度情報指定手段と、前記強度情報を指定した際に出力されていた物理的変化の出力値を用いて強度情報と増幅率の対応関係を設定する増幅率設定手段と、前記設定した強度情報と増幅率の対応関係を用いて、前記増幅率記憶手段に記憶されている強度情報と増幅率の関係を更新する更新手段と、を具備するように構成することもできる（第１０の構成）。
第１０の構成において、前記出力手段は、物理的変化を振動として出力する振動子であり、前記強度情報指定手段で前記第１のユーザが強度情報を指定する際の前記振動子の周波数を、前記第１のユーザが指定する周波数指定手段を具備するように構成することもできる（第１１の構成）。
第９の構成において、前記出力手段は、物理的変化を振動として出力する振動子であり、前記振動子は、一定振動数の基本振動を、前記生成した出力情報を用いて振幅変調を行って出力するように構成することもできる（第１２の構成）。
また、本発明は、動作検出手段と、強度情報取得手段と、送信手段と、を備えたコンピュータにおいて、前記動作検出手段によって、第１のユーザから加えられた動作による所定の物理量の変化を検出する動作検出ステップと、前記強度情報取得手段によって、前記検出した物理量の変化の大きさに対応する強度情報を取得する強度情報取得ステップと、前記送信手段によって、前記検出した物理量の変化を表す変化情報と、前記取得した強度情報を送信する送信ステップと、から構成されたことを特徴とする動作伝達方法を提供する（第１３の構成）。
また、本発明は、受信手段と、強度情報と増幅率の対応関係を記憶した増幅率記憶手段と、増幅率取得手段と、出力情報生成手段と、出力手段と、を備えたコンピュータにおいて、前記受信手段によって、第２のユーザが第２の端末装置に加えた動作による所定の物理量の変化を表す変化情報と、当該物理量の変化の大きさに対応する強度情報と、を前記第２の端末装置から受信する受信ステップと、前記増幅率取得手段によって、前記受信した強度情報に対応する増幅率を前記増幅率記憶手段を用いて取得する増幅率取得ステップと、前記出力情報生成手段によって、前記受信した変化情報を、前記取得した増幅率を用いて増幅し、出力情報を生成する出力情報生成ステップと、前記出力手段によって、前記生成した出力情報を所定の物理的変化として出力する出力ステップと、から構成されたことを特徴とする動作伝達方法を提供する（第１４の構成）。
また、本発明は、第１のユーザから加えられた動作による所定の物理量の変化を検出する動作検出機能と、前記検出した物理量の変化の大きさに対応する強度情報を取得する強度情報取得機能と、前記検出した物理量の変化を表す変化情報と、前記取得した強度情報を送信する送信機能と、をコンピュータで実現する動作伝達プログラムを提供する（第１５の構成）。
また、本発明は、第２のユーザが第２の端末装置に加えた動作による所定の物理量の変化を表す変化情報と、当該物理量の変化の大きさに対応する強度情報と、を前記第２の端末装置から受信する受信機能と、前記受信した強度情報に対応する増幅率を、強度情報と増幅率の対応関係を記憶した増幅率記憶手段を用いて取得する増幅率取得機能と、前記受信した変化情報を、前記取得した増幅率を用いて増幅し、出力情報を生成する出力情報生成機能と、前記生成した出力情報を所定の物理的変化として出力する出力機能と、をコンピュータで実現する動作伝達プログラムを提供する（第１６の構成）。
【発明の効果】
【００１１】
本発明によると、送信者は、自己の主観に応じた強度にて動作情報を送信することができ、受信者は、自己の主観に応じた強度にて動作情報を再生することができ、個人の特性にあわせた動作情報の入出力が可能となる。
【発明を実施するための最良の形態】
【００１２】
（実施の形態の概要）
図１を用いて本実施の形態の概要を説明する。
送信者側は、携帯電話２を振るなどして動作情報を入力し、受信者側の携帯電話３に送信する。受信者側は、動作情報を受信し、これを用いて携帯電話３を振動させ、送信者の入力した動作を感じ取る。
この際に、送信者が携帯電話２を振る際の強弱の主観と、受信者が携帯電話３で感じ取る振動の強弱の主観が異なるため、以下のようにして、両者の主観の差を調節する。
【００１３】
まず事前準備として、送信者は、自分の感覚で「強」、「中」、「弱」の強度に渡って携帯電話２を振り、それぞれの振動の大きさを動作強度判定テーブルとして携帯電話２に記憶させる。
また、受信者は、携帯電話３を各種の強度に渡って振動させ、自分が「強」、「中」、「弱」の強度と感じる振動の大きさを携帯電話３に入力し、これによって、「強」、「中」、「弱」に対応する増幅率（ゲイン、増幅度）を出力強度設定テーブルとして携帯電話３に記憶させる。
【００１４】
以上のように、送信者側と受信者側の携帯電話を設定した後、送信者は携帯電話２を振る。
携帯電話２は、加速度センサを用いて携帯電話２の加速度の経時変化を検出するなどして動作情報５を取得した後、これを用いて変化情報６と強度情報７を生成する。
【００１５】
変化情報６は、加速度の変化量の最大値が所定の規格基準値となるように動作情報を規格化したものであり、携帯電話２に加えられた振動（物理的変化）の時系列的情報を、規格基準値に対する相対値として表したものである。規格基準値としては、携帯電話３の備えた振動子の最大出力を用いることができる。
【００１６】
強度情報７は、先に登録した動作強度判定テーブルを用いて、携帯電話２の変位の大きさを「強」、「中」、「弱」の何れかに対応させたものである。
このように、携帯電話２は、動作情報をユーザの動きの相対的な値からなる変化情報と主観の影響が大きい強度情報に分割することができ、これによって、主観の影響が大きい動作情報を独立して処理することができる。
【００１７】
送信者側の携帯電話２は、以上のようにして動作情報５を規格化した変化情報６と、動作情報に対する送信者の主観値である強度情報７を生成した後、受信者側の携帯電話３に送信する。
【００１８】
受信者側の携帯電話３は、送信者側の携帯電話２から変化情報６と強度情報７を受信すると、出力強度設定テーブルを参照して強度情報７に対応する増幅率を取得し、変化情報６をこの増幅率で増幅して出力情報を生成する。そして、この出力情報によって振動子を駆動し、受信者に振動を伝える。
【００１９】
このようにして、送信者は、携帯電話２を振ったことによる波形（変化情報６）と、携帯電話２を強く振ったのか、弱く振ったのか、あるいは中くらいの強度で振ったのかといった主観的な強度を携帯電話３に伝えることができ、携帯電話３では、送信者が携帯電話２を振った波形を、送信者の主観に対応する受信者の主観的な強度にて再生することができる。
【００２０】
なお、以上の例では、振動により物理量の変化を携帯電話２に与えたが、振動の他に、圧力（ユーザが携帯電話２を握る）や温度など、他の物理的な変化を用いても良い。
また、携帯電話３での動作の再生も振動に限らず、圧力や温度、その他の物理量の変化を用いて再生しても良い。
更に、携帯電話２では、動作を圧力にて入力し、携帯電話３ではこれを振動で再生するなど、携帯電話２で入力される物理量と携帯電話３で再生される物理量が異なっても良い。
【００２１】
（実施の形態の詳細）
図２は、本実施の形態で動作情報の入出力に用いる携帯電話の機能的な構成を示したブロック図である。
なお、本実施の形態では、一例として動作情報を入出力する端末装置として携帯電話を用いるが、この他にＰＤＡ（Ｐｅｒｓｏｎａｌ  Ｄｉｇｉｔａｌ  Ａｓｓｉｓｔａｎｔ）やその他の携帯端末や、パーソナルコンピュータやゲーム機など、ネットワーク接続可能な端末装置によって構成することができる。
【００２２】
図に示したように、携帯電話９は、バスライン１９を介して、情報処理部１８、記憶部２０、電話情報制御部１７、動作情報制御部２１、通信制御部２２などが接続されて構成された情報処理装置である。
電話情報制御部１７は、通話、電子メールの送受信、画像（静止画像や動画像）の送受信など、携帯電話９で通常の携帯電話機能を発揮させるための情報の入出力を制御する。
【００２３】
電話情報制御部１７には、入力手段として画像入力部１１、キー入力部１６、マイク１３などが接続されている。
画像入力部１１は、撮影対象を結像するためのレンズと、投影された像を電気信号に変換するＣＣＤ（Ｃｈａｒｇｅ  Ｃｏｕｐｌｅｄ  Ｄｅｖｉｃｅ）、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）などの画像センサを用いて構成されている。
ユーザは、画像入力部１１を撮影対象に向けて静止画、動画を撮影することができる。
【００２４】
キー入力部１６は、数字、文字、記号などを入力するためのキーを備えており、ユーザは、これらキーを押すことにより、文字や記号を入力し、電子メールを作成したり、携帯電話９のシステムへのコマンド入力を行ったりすることができる。
【００２５】
マイク１３は、音声を検出し、アナログ信号として出力する。マイク１３で検出された音声は、更にＡＭＰ（アンプ）１３ａで増幅され、更に、Ａ／Ｄ変換器１３ｂでデジタル信号に変換され、電話情報制御部１７に入力される。
ユーザは、マイク１３を用いて音声情報やサウンド情報を入力することができる。
【００２６】
更に、電話情報制御部１７には、出力手段としてディスプレイ１５、スピーカ１２が接続されている。
ディスプレイ１５は、例えば、液晶ディスプレイなどの表示装置で構成されており、文字・記号情報や画像の表示を行う。
ユーザは、ディスプレイ１５に、送信者から送信されてきた電子メールや画像を表示させて確認することができる。
【００２７】
スピーカ１２は、アナログ信号で構成された音声信号を用いて大気を振動させ、音声やサウンドを外界に発する。
音声信号は、デジタル信号として送信されて来るので、Ｄ／Ａ変換器１２ｂでアナログ信号に変換し、更に、ＡＭＰ１２ａで増幅してからスピーカ１２に入力される。
ユーザは、スピーカ１２から発生された音声により、送信者から送信されてきた音声やサウンドを確認することができる。
【００２８】
動作情報制御部２１は、動作情報の入出力を制御する。
動作情報の入力の場合は、ユーザが携帯電話９に対して動作を行い、これによって携帯電話９に生じた物理量の変化を検出する。本実施の形態では、物理量の一例として加速度と圧力を用いる。
動作情報の出力の場合は、送信者の携帯電話から送信されてきた動作情報を用いて、携帯電話９に物理的変化を生じさせて出力する。本実施の形態では、携帯電話９に物理的変化を生じさせるためにこれを振動子で振動させる。
【００２９】
動作情報制御部２１には、入力手段として加速度センサ２８、圧力センサ３０が接続されている。
加速度センサ２８は、携帯電話９の内部、又は表面に配置されており、携帯電話９の加速度を検出し、これをアナログ信号として出力する。検出される加速度は、空間的３次元の加速度成分のうち任意の成分で良い。
加速度センサ２８としては、例えば、ストレインゲージ、ロードセル、静電容量式センサ、ダイアフラム構造を用いたセンサなどを用いることができる。
【００３０】
加速度センサ２８で検出された加速度信号は、ＡＭＰ２８ａで増幅された後、Ａ／Ｄ変換器２８ｂでデジタル信号に変換され、動作情報制御部２１に入力される。
なお、図示しないが加速度センサ２８の出力を、バンドパスフィルタによりフィルタリングするように構成することもできる。
【００３１】
加速度センサ２８は、例えば、ユーザが相手に伝えたい内容を振動で表現したい場合に、ディスプレイ１５上の指示に従って所定のキーを押した後、携帯電話９を自己の感性に従って振り、そして振り終わった後、ディスプレイ１５上の指示に従って所定のキーを押すといったような使い方をする。この間に検出された加速度の時系列情報が動作情報として用いられる。
【００３２】
圧力センサ３０は、例えば、携帯電話９の側面に配置され、ユーザが携帯電話９を握ると、その圧力をアナログ信号として出力する。
圧力センサ３０で検出された圧力は、ＡＭＰ３２ａで増幅された後、Ａ／Ｄ変換器３０ｂでデジタル信号に変換されて動作情報制御部２１に入力される。
なお、図示しないが圧力センサ３０の出力を、バンドパスフィルタによりフィルタリングするように構成することもできる。
【００３３】
圧力センサ３０も、ユーザは、所定のキーを押して携帯電話９を握った後、所定のキーを押して入力を終了するといったように使用する。この間の圧力の時系列情報が動作情報として用いられる。
【００３４】
動作情報制御部２１には、出力手段として振動子３２が接続されている。
振動子３２は、アナログ信号で構成された駆動信号に従って携帯電話９に振動を発生させる素子である。
振動子３２は、例えば、振動モータや圧電素子、超磁歪素子、ソレノイド素子などを用いて構成することができる。
ここで、振動モータとは、モータ軸に偏心した重りを取り付け、回転させることで振動を発生させるデバイスである。
【００３５】
振動子３２の駆動信号は、動作情報制御部２１からデジタル信号として出力され、Ｄ／Ａ変換器３２ｂでアナログ信号に変換され、ＡＭＰ３２ａで増幅された後、振動子３２に入力される。
振動子３２は、送信者側の携帯電話で検出された加速度や圧力に基づいて振動を出力し、受信者は、携帯電話９の振動を感じることにより、送信者の心情を感じ取ることができる。
【００３６】
通信制御部２２は、無線装置２４を介して基地局との無線通信を制御する。
無線装置２４は、アンテナを有しており、通信制御部２２から出力された信号を無線により基地局に送信し、また、基地局から送信されてきた信号を受信して通信制御部２２に出力する。
基地局は、インターネットなどのネットワークや公衆回線網などの通信回線と接続可能に配設されている。
【００３７】
記憶部２０は、プログラムやデータを記憶する記憶装置であり、例えば、ＥＥＰＲＯＭ（Ｅｌｅｃｔｒｉｃａｌｌｙ  Ｅｒａｓａｂｌｅ  Ａｎｄ  Ｐｒｏｇｒａｍｍａｂｌｅ  ＲＯＭ）などの記憶素子を用いて構成されている。
記憶部２０は、情報処理部１８によってプログラムやデータの書込消去を行うことができ、携帯電話９の電源をオフにしても記憶内容は保持される。
【００３８】
記憶部２０に記憶されているプログラムとしては、携帯電話９の全体を制御する基本的なプログラムであるＯＳ（Ｏｐｅｒａｔｉｎｇ  Ｓｙｓｔｅｍ）や、後述するように、ユーザが入力された動作情報から変化情報と強度情報を生成したり、あるいは、送信者から送信されてきた変化情報と強度情報から振動子３２を駆動する駆動信号を生成したりなどする動作伝達プログラムなどが記憶されている。
また、記憶部２０に記憶されるデータとしては、後述する、動作強度判定テーブルや出力強度設定テーブルなどがある。
【００３９】
情報処理部１８は、所定のプログラムに従って各種の演算処理を行ったり、携帯電話９全体のシステム制御を行ったりする。
情報処理部１８は、例えば、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）などから構成されている。
【００４０】
情報処理部１８は、相手方の携帯電話と送受信する情報の種類を識別するために図３に示したような２バイトコードのタグ情報を用いる。
例えば、画像情報であればタグ情報「ＡＡ」を情報に付加し、文字・記号情報であればタグ情報「ＢＢ」を情報に付加する。
そして、音声・サウンド情報であればタグ情報「ＣＣ」を付加する。
更に、加速度センサによる強度情報と変化情報には、タグ情報「ＤＤ」を付加し、圧力センサによる強度情報と変化情報にはタグ情報「ＥＥ」を付加する。
【００４１】
図２に戻り、情報処理部１８は、情報を通信制御部２２から送信する場合は、送信する情報を符号化した後タグ情報を付加し、相手方の携帯電話が情報の種類を識別できるようにする。
また、情報処理部１８は、相手方の携帯電話から情報を受信した場合に、情報に付加されているタグ情報を用いて、情報を分離して復号化し、情報の種類に応じて電話情報制御部１７、動作情報制御部２１に送出される。
【００４２】
そして、電話情報制御部１７や動作情報制御部２１に送出された情報は、更に、ディスプレイ１５、スピーカ１２、振動子３２に出力され、これらのデバイスを駆動するのに用いられる。
なお、相手方の携帯電話も携帯電話９と同じ構成を有している。
【００４３】
以上、携帯電話９の構成について説明したが、加速度センサ２８と圧力センサ３０は、所定の物理量（加速度、圧力）の変化を検出する動作検出手段を構成している。
また、情報処理部１８は、通信制御部２２、無線装置２４と共に動作することにより、変化情報と強度情報を送信する送信手段、及び受信する受信手段を構成している。
【００４４】
図４は、携帯電話９の外観、及びデバイス類の実装状況を示した図である。
携帯電話９は、一端側にスピーカ１２を有し、他端側にマイク１３を有している。
スピーカ１２に隣接してディスプレイ１５が設けられており、ディスプレイ１５の背面部付近に加速度センサ２８が内蔵されている。
更に、ディスプレイ１５に隣接して画像入力部１１が配置され、画像入力部１１とマイク１３の間にキー入力部１６が配置されている。
【００４５】
キー入力部１６付近で、携帯電話９の左右両側面部に圧力センサ３０が配置され、ユーザが携帯電話９を握った場合にその圧力を検出できるようになっている。
更に、キー入力部１６付近には、携帯電話９の内部に振動子３２が内蔵されており、振動子３２が振動を発生すると、携帯電話９の全体に振動が伝播し、携帯電話９が振動するようになっている。
【００４６】
次に、動作情報の入力について詳細に説明する。携帯電話９では、動作情報の入力手段として加速度センサ２８と圧力センサ３０がある。
ユーザが携帯電話９を振って（又は握って）動作情報を入力する場合の動作強度、即ち携帯電話９を強く振るか（握るか）、中くらいの程度で振るか（握るか）、あるいは、弱く振るか（握るか）は、ユーザの感覚的な主観に関わる事柄であり、まず、動作強度を規定する強度情報とユーザの主観を対応づけたテーブルを作成する必要がある。
【００４７】
以下に、図５のフローチャートを用いて強度情報設定処理の手順について説明する。
まず、ユーザは、ディスプレイ１５に表示された指示に従い、携帯電話９で強度情報設定機能を起動する。
この機能は、記憶部２０に記憶した動作伝達プログラムを情報処理部１８で実行することにより実現される。
以降に説明する情報処理は、情報処理部１８のＣＰＵが動作伝達プログラムに従って行うものである。
【００４８】
強度情報設定機能が起動すると、ディスプレイ１５に、強度情報設定画面が表示され、動作選択が受け付けられる（ステップ５）。
図示しないが、強度情報設定画面では、「振る」動作と「握る」動作を選択できるようになっており、「振る」動作を選択すると、加速度センサ２８に対する動作強度判定テーブルが生成され、「握る」動作を選択すると、圧力センサ３０に対する動作強度判定テーブルが生成される。
【００４９】
次に、情報処理部１８は、ステップ５で選択された動作情報の種類に対応する動作強度判定テーブルを記憶部２０から読み込む（ステップ１０）。
ここで、記憶部２０は、「振る」動作強度判定テーブルや「握る」動作強度判定テーブルなどと、動作の種類ごとに動作強度判定テーブルを記憶しており、ステップ１０では、ステップ５で選択された動作の動作強度判定テーブルが読み込まれ、更新対象となる。
なお、ステップ１０で読み込むテーブルは、ユーザが以前に作成したもの、あるいは、携帯電話９の購入時などに予めデフォルトで記憶されていたものである。
【００５０】
次に、情報処理部１８は、ディスプレイ１５にこれから行う動作の強度を選択する選択肢を表示し、ユーザは、これから行う動作の強度を選択する（ステップ１５）。
例えば、ディスプレイ１５には、「強」、「中」、「弱」などと、表示され、ユーザがこれから自己の主観に従って強く動作する（振る、又は握る）場合は、「強」を選択し、中くらいの強度で動作する場合は「中」を選択し、弱く動作する場合は「弱」を選択する。
【００５１】
次に、情報処理部１８は、ディスプレイ１５で所定のキーを押すように指示し、ユーザが所定のキーを押すと、情報処理部１８は、動作情報（動作信号）の入力を開始する（ステップ２０）。
ユーザは、所定のキーを押した後、ステップ１５で選択した動作強度にて動作を開始する。
【００５２】
情報処理部１８は、ユーザが選択した動作の種類に応じたセンサ、即ち、ユーザが「振る」動作を選択した場合は加速度センサ２８から、「握る」動作を選択した場合は圧力センサ３０から、センサ出力の取得を開始する。これにより動作情報の入力が開始される（ステップ２０）。
【００５３】
以降、「振動」動作が選択されたものとして説明するが、「握る」動作が選択された場合も情報処理手順は同じである。
ユーザが携帯電話９を振ると、加速度センサ２８により加速度信号が出力される（ステップ２５）。
【００５４】
そして、図示しないバンドパスフィルタにより、加速度センサ２８から出力された信号をフィルタリングする（ステップ３０）。
このフィルタは、例えば、通過帯域が０．５［Ｈｚ］〜５［Ｈｚ］程度に設定されており、センサ出力のうち、この帯域にあるものが動作強度判定テーブルの作成に利用される。
【００５５】
低域側のカットオフ周波数は、例えば、直流成分や低周波線分が出力されて、ユーザの動作以外の信号が取得されるのを防止する周波数が選択され、高域側のカットオフ周波数は、出力デバイス（振動子３２）の応答可能な範囲の上限が選択される。
【００５６】
なお、本実施の形態では、アナログ信号の段階でフィルタリングしたが、加速度センサ２８の出力信号をデジタル信号に変換した後、デジタルフィルタリングを行うように構成しても良い。
【００５７】
次に、フィルタリングされた出力信号をＡＭＰ２８ａで増幅した後、Ｄ／Ａ変換器２８ｂでサンプリングし、デジタル信号に変換する（ステップ３５）。
デジタル信号に変換された出力信号は、動作情報制御部２１、バスライン１９を介して情報処理部１８に送られる。
【００５８】
情報処理部１８は、この動作情報からピーク値を検出し、ＲＡＭや記憶部２０などに一時記憶する（ステップ４０）。
そして、情報処理部１８は、ユーザに所定のキーを押させて動作情報の入力を終了する（ステップ４５）。
情報処理部１８は、ユーザの動作が終了すると、ステップ４０で記憶しておいたピークの振幅平均を算出し記憶する（ステップ５０）。
【００５９】
次に、情報処理部１８は、例えば、ディスプレイ１５に「強度情報の設定を終了しますか？」などといったメッセージと共に「はい」ボタンと「いいえ」ボタンを表示するなどしてユーザに強度情報の設定を終えるか否かを選択させる（ステップ５５）。
例えば、ユーザが「強」について設定した後、他の強度においても動作強度を設定したい場合は「いいえ」を選択し、動作強度の設定を完了した場合は「はい」を選択する。
【００６０】
ユーザが、「いいえ」を選択した場合（ステップ５５；Ｎ）、情報処理部１８は、ステップ１５に戻り、更に、ユーザに動作入力を行わせる。
また、ユーザが、全ての強度について強度情報を設定しなかった場合、例えば、「強」について強度情報を設定したが、「中」と「弱」については設定せずに「はい」を選択した場合、ユーザが設定しなかった強度情報に関しては、動作強度判定テーブルに既に記録されている値を用いる。
【００６１】
ユーザが、「はい」を選択した場合（ステップ５５；Ｙ）、情報処理部１８は、強度判定レベルを算出する（ステップ６０）。
まず、動作強度「強」の場合の振幅平均と、動作強度「中」の場合の振幅平均を足して２で割った値、即ち両者の平均値を算出し、これをレベル１とする。
【００６２】
同様にして、動作強度「中」の場合の振幅平均と、動作強度「弱」の場合の振幅平均を足して２で割った値をレベル２とする。
次に、情報処理部１８は、算出されたレベル１、２の値を用いて動作強度判定テーブルを更新する（ステップ６５）。
【００６３】
このように、情報処理部１８は、物理量の変化（加速度、圧力などの変化）に対して強度情報をユーザが指定する強度情報指定手段を備えている。
そして、情報処理部１８は、検出した物理量の変化の大きさと、ユーザから指定された強度情報と、を用いて物理量の変化の大きさと強度情報との対応関係を設定して動作強度判定テーブル（強度情報記憶手段）に記憶する。
【００６４】
次に、情報処理部１８は、他の動作強度判定テーブルの設定も行うか（例えば、「振る」動作強度判定テーブルの設定を終えた後、「握る」動作強度判定テーブルの設定を行うか）ユーザに問い合わせ、ユーザが他の動作強度判定テーブルも設定する場合を選択したときは（ステップ７０；Ｎ）、ステップ１５に戻り、他の動作強度判定テーブルについても設定作業を行い、ユーザが設定作業の終了を選択した場合は（ステップ７０；Ｙ）、処理を終了する。
【００６５】
図６は、「振る」動作強度判定テーブルの論理的な構成を示した図である。
図に示したように、「振る」動作強度判定テーブルでは、レベル１が＋５．６［Ｖ］に設定され、レベル２が＋３．２［Ｖ］に設定されている。
加速度センサ２８は、加速度信号を電圧で出力し、一方、「振る」動作強度判定テーブルは、加速度センサ２８の出力電圧によりレベルを設定している。
なお、加速度センサ２８の最大出力は７．０［Ｖ］である。
【００６６】
「振る」動作強度判定テーブルは、ユーザが携帯電話９を振った場合に、情報処理部１８がこの振りの強度が「強」、「中」、「弱」の何れに該当するのか判断するのに用いられる。
即ち、情報処理部１８は、加速度センサ２８の出力がレベル１よりも大きい場合は「強」と判断し、レベル１とレベル２の間である場合は「中」と判断し、レベル２よりも小さい場合は「弱」と判断する。
【００６７】
図７は、「握る」動作強度判定テーブルの論理的な構成を示した図である。
図に示したように、「握る」動作強度判定テーブルでは、レベル１が＋４．２［Ｖ］に設定され、レベル２が＋１．４［Ｖ］に設定されている。
圧力センサ３０の最大出力も７．０［Ｖ］である。
そのため、情報処理部１８は、圧力センサ３０の出力がレベル１よりも大きい場合は「強」と判断し、レベル１とレベル２の間である場合は「中」と判断し、レベル２よりも小さい場合は「弱」と判断する。
【００６８】
以上、動作強度判定テーブルをセンサの出力電圧によって構成したが、出力の最大出力に対する百分率で構成することもできる。この場合は、例えば、レベル１が８０［％］でレベル２が４０［％］などとなる。
【００６９】
次に、携帯電話９を用いて動作情報を送信する手順について図８のフローチャートを用いて説明する。
まず、ユーザは、ディスプレイ１５に表示されたメニュー画面などを操作し、携帯電話９を動作情報入力モードに設定する。
これにより、ディスプレイ１５には図示しない動作情報入力画面が表示される。
【００７０】
動作情報入力画面には、動作強度の設定を手動で行うか自動で行うかの選択肢が表示され、ユーザは何れかを選択する（ステップ１０５）。また、この際に「振る」、「握る」など動作の種類も選択する。
手動で動作強度を設定する場合、ユーザは動作入力を行った後、「強」、「中」、「弱」を手動で入力し、自動で動作強度を設定する場合は、動作強度判定テーブルを用いて情報処理部１８が動作強度を設定することになる。
【００７１】
次に、ユーザはディスプレイ１５の指示に従って所定のキーを押して動作情報の入力処理を開始し（ステップ１１０）、携帯電話９に対して任意の強度にて動作を行う。これによりセンサ（加速度センサ２８、又は圧力センサ３０）から出力信号が出力される（ステップ１１５）。
【００７２】
そして、バンドパスフィルタにより出力信号をフィルタリングして（ステップ１２０）、Ｄ／Ａ変換器によりサンプリングしてデジタル信号に変換する（ステップ１２５）。
情報処理部１８は、このデジタル信号を取得し、ＲＡＭや記憶部２０などに記憶しておく。
【００７３】
情報処理部１８は、所定のキーをユーザに押させて動作情報の入力を終了する（ステップ１３０）。
次に、情報処理部１８は、ステップ１０５でユーザが手動と自動の何れを選択したかを判断する（ステップ１３５）。
手動が選択されている場合は（ステップ１３５；手動）、情報処理部１８はディスプレイ１５に「強」、「中」、「弱」などの表示を行ってユーザに動作強度を選択させる（ステップ１８０）。
そして、情報処理部１８は、後述するステップ１６０の処理に移行する。
【００７４】
一方、自動が選択されている場合は（ステップ１３５；自動）、動作情報のピーク値を検出し（ステップ１４０）、そのピーク値を平均することにより振幅平均を算出する（ステップ１４５）。
そして、情報処理部１８は、ユーザが行った動作の種類に対応する動作強度判定テーブルを参照し（ステップ１５０）、動作強度判定テーブルでのレベルと算出した振幅平均の大小関係から動作強度を判定する（ステップ１５５）。
【００７５】
このように、情報処理部１８は、強度情報記憶手段（動作強度判定テーブル）を用いて強度情報を取得する強度情報取得手段を備えている。
【００７６】
即ち、情報処理部１８は、振幅平均がレベル１よりも大きい場合は「強」と判定し、レベル２以上でレベル１未満の場合は「中」と判定し、レベル２未満の場合は「弱」と判定する。
例えば、ユーザが携帯電話９を振り、加速度センサ２８の出力の平均振幅が４［Ｖ］であった場合、図６の動作強度判定テーブルを用いると、動作強度は「中」となる。
【００７７】
次に、情報処理部１８は、ユーザから入力されて記憶してある動作情報を規格化して変化情報を生成する（ステップ１６０）。
この規格化処理は、センサ出力の最大値を規格基準値とし、センサから得られた計測値をセンサ出力の最大値で除することにより行うことができる。
これにより、ユーザの動作による物理量の変化の時間変化を振幅で規格化した情報を生成することができる。
【００７８】
このように、情報処理部１８は、検出した物理量の変化（動作情報）を規格化して変化情報を生成する変化情報生成手段を備えている。
【００７９】
動作情報は、所定の物理量（加速度、圧力など）の大きさと、その時間的変化を記述した時系列情報であるが、以上のようにこれを動作強度と変化情報に分解することにより、ユーザの主観により印象が大きく代わる動作強度を分離して動作の変化とは別に処理することができる。
【００８０】
更に、情報処理部１８は、ユーザが希望すれば、更に文字、画像、音声などの他の情報を入力させる。
そして、情報処理部１８は、これら入力された情報を、動作強度を表す強度情報と、変化情報に付加する（ステップ１６５）。この際に情報処理部１８は、図３で示したタグ情報をこれらの情報に付属させる。
【００８１】
次に、情報処理部１８は、これらの情報を符号化し（ステップ１７０）、相手方の携帯電話に送信する（ステップ１７５）。
以上のようにして、強度情報と規格化されたセンサ出力時系列情報の組み合わせを相手方の携帯電話に送信することができる。
【００８２】
次に、相手方の携帯電話から送信されてきた動作情報（強度情報と変化情報）を再生する場合について説明する。
携帯電話９は、相手方の携帯電話から送信されてきた物理量の変化に関する情報、即ち動作情報をユーザの触覚で関知できる物理的変化として出力する。
ここでは、一例として振動子３２（図２）により携帯電話９を振動させることにより送信されてきた動作情報を出力する。
【００８３】
なお、携帯電話９の振動を感じる場合、その振動を強いと感じるか、あるいは弱いと感じるか、又は中くらいと感じるかは、ユーザの主観に依存する。
そのため、携帯電話９にユーザが強いと感じる程度の振動、弱いと感じる程度の振動、中くらいと感じる程度の振動を予め記憶させておく必要がある。
【００８４】
図９のフローチャートを用いて、振動出力設定処理の手順について説明する。
この処理は、携帯電話９に出力される基準振動出力とその振動出力に関する主観の対応づけを行う出力強度設定テーブルを作成するものである。なお、出力強度設定テーブルは、増幅率記憶手段を構成している。
まず、ユーザは、ディスプレイ１５に表示されたメニュー画面を操作し、出力強度設定テーブル設定機能を起動する。
【００８５】
すると、情報処理部１８は、既に記憶部２０に記憶してある出力強度設定テーブルを読み込む。このテーブルは、ユーザが以前に作成したものか、あるいは、デフォルトで用意されたものである。
【００８６】
次に、情報処理部１８は、周波数（振動数）１から５０Ｈｚ（１［Ｈｚ］刻み）で同一振幅の駆動信号を順次出力して振動子３２を駆動し振動させる（ステップ２０５）。
ユーザは、携帯電話９を保持しながら、出力される振動を体感し、一番振動が強いと感じる（感度が高い）周波数を選択し、情報処理部１８はこれを受け付ける（ステップ２１０）。
【００８７】
これは、例えば、ディスプレイ１５に「一番振動が強いと感じるところで数字の９を押してください」などと表示し、ユーザがキー入力部１６で数字の９を押した際の周波数を受け付けることにより行うことができる。
【００８８】
このように、情報処理部１８は、強度情報を指定する際の振動子３２の周波数ユーザが指定する周波数指定手段を備えている。
【００８９】
次に、情報処理部１８は、選択された周波数ｆｓの駆動信号を振幅掃引出力して振動出力を行う（ステップ２１５）。
即ち、振動子３２の振動周波数を一定値ｆｓに保ちながら、振幅を徐々に大きくしていく。
【００９０】
ユーザは、携帯電話９を保持しながら、出力される振動を体感し、自分の主観に応じて、振動が「弱」、「中」、「強」と感じられたときに、これを情報処理部１８に通知し、情報処理部１８は、このときの振動子３２の出力を確認する。
これは、ユーザが携帯電話９の振動を感じながらディスプレイ１５の表示に従ってキー入力部１６の所定のキーを押すなどして行うことができる。
これによって、情報処理部１８は、振動強度の選択値（振動子３２の出力）を受け付ける（ステップ２２０）。
【００９１】
情報処理部１８は、ユーザが選択した際の振幅（振動子３２への入力電圧）を用いて出力強度設定テーブルを更新する（ステップ２２５）。
次に、情報処理部１８は、ディスプレイ１５に表示するなどして出力強度設定テーブルの更新を終了するか否かを問い合わせ（ステップ２３０）、ユーザが終了を選択した場合は（ステップ２３０；Ｙ）、振動出力設定処理を終了する。
一方、ユーザが終了を選択しなかった場合（ステップ２３０；Ｎ）、情報処理部１８は、ステップ２０５に戻り、振動出力設定処理を再度行う。
【００９２】
このように、情報処理部１８は、物理的変化を出力し（振動子３２の振動）、これに対してユーザが強度情報を指定する強度情報指定手段と、指定した際の物理的変化（振動）の出力値を用いて強度情報と増幅率の対応関係を設定する増幅率設定手段と、増幅率記憶手段（出力強度設定テーブル）に記憶されている強度情報と増幅率の関係を更新する更新手段を備えている。
【００９３】
このようにして作成された出力強度設定テーブルの論理的な構成の一例を図１０に示す。
出力強度設定テーブルでは、強度情報に増幅率、即ちゲインが対応づけられている。
図１０の例では、強度情報が「強」の場合は、増幅率が４．８であり、「中」の場合は、２．５であり、「弱」の場合は１．８である。
【００９４】
これは、ユーザが振動出力設定処理において、「強」を選択したときの振動子３２の駆動電圧が４．８［Ｖ］であり、「中」を選択したときの駆動電圧が２．５［Ｖ］であり、「弱」を選択したときの駆動電圧が１．８［Ｖ］であったことにより、このように作成されたものである。
【００９５】
相手方の携帯電話から送信されてくる変化情報は規格化されているため、ユーザが「強」、「中」、「弱」を選択した際の駆動電圧をそのまま増幅率として採用することができる。
そして、送信相手が強度情報「中」で指定した変化情報を、この出力強度設定テーブルの「中」で指定されている増幅率で増幅すると、ユーザが「中」と感じる振動にて振動子３２を振動させることができる。
【００９６】
次に、このようにして得られた出力強度設定テーブルを用いて、相手方が送信してきた動作情報を再生する場合について、図１１のフローチャートを用いて説明する。
【００９７】
まず、情報処理部１８は、相手方の携帯電話から送信されてきた符号化情報を受信し（ステップ３０５）、これを復号化する（ステップ３１０）。
復号化した情報には、動作情報以外の情報が付加されている場合があるため、情報処理部１８は、まず、復号化した情報をタグ情報を用いて動作情報と表示情報と音声情報に分離する（ステップ３１５）。
【００９８】
そして、情報処理部１８は、表示情報に関しては（ステップ３１５；表示情報）、文字・記号、画像などを再生してディスプレイ１５に表示し（ステップ３３０）、音声情報に関しては（ステップ３１５；音声情報）、音声、サウンドを再生してスピーカ１２から出力する（ステップ３３５）。
【００９９】
動作情報に関しては（ステップ３１５；動作情報）、情報処理部１８は、これを用いて振動子３２を振動させるための駆動信号を生成する（ステップ３２０）。そして、生成した駆動信号を振動子３２に出力して振動させ、これによって、携帯電話９を振動させる（ステップ３２５）。
【０１００】
更に、図１２のフローチャートを用いて駆動信号生成処理について説明する。
まず、情報処理部１８は、動作情報を強度情報と変化情報に分離する（ステップ３５０）。
情報処理部１８は、強度情報に関しては（ステップ３５０；強度情報）、出力強度設定テーブルを読み込んで（ステップ３５５）、対応する強度情報の増幅率を決定する（ステップ３６５）。
この際にユーザが増幅率を調整したい場合は、所定のキーを押すなどして主力設定テーブルで規定されている増幅率を手動にて調節する（ステップ３６０）。
【０１０１】
一方、情報処理部１８は、変化情報に関しては、必要があればユーザが手動で周波数を調整（クロック手動調整）した後（ステップ３７０）、変化情報をステップ３６５で決定した増幅率にて増幅して駆動信号を生成する（ステップ３７５）。
【０１０２】
情報処理部１８が生成した駆動信号は、Ｄ／Ａ変換器３２ｂ（図２）でアナログ信号に変換され（ステップ３８０）、ＡＭＰ３２ａを介して振動子３２に出力される。
【０１０３】
このように、情報処理部１８は、増幅率記憶手段（出力強度設定テーブル）を用いて増幅率を取得する増幅率取得手段と、変化情報を取得した増幅率用いて増幅して出力情報（駆動信号）を生成する出力情報生成手段と、生成した出力信号を所定の物理量として出力する（振動子３２を振動させる）出力手段を備えている。
【０１０４】
ところで、振動子３２の振動は、変化情報を増幅した波形で振動させる他に、例えば、図１３で示したような基本振動４１を駆動信号（再生した動作情報）で変調したものを新たな駆動信号として出力させることもできる。
この場合、振動子３２を基本振動４１の周波数で振動させながら、その振幅を駆動信号にあわせて変化させることにより、ユーザは包絡線４２として動作情報を感じ取ることができる。
この方法は、例えば、振動子３２で再生するのが困難な低周波の振動を再生する場合に有効である。
【０１０５】
以上に説明した本実施の形態により次のような効果を得ることができる。
（１）送信者は、自己の主観に応じた動作情報を受信者に送信することができ、一方、受信者は送信者が意図した動作の強度を自己の主観で定義した大きさで再生することができる。そのため、触覚などの感覚に対する主観的な差による誤解を防ぎ、円滑なコミュニケーションを実現することができる。
（２）本実施の携帯電話は、動作情報を規格化した変化情報と、ユーザの主観に依存する強度情報に分離し、変化情報と強度情報の組み合わせを相手方の携帯電話に送信することができる。
【０１０６】
（３）動作情報を入力する場合の強度と強度情報を動作強度判定テーブルを用いて対応づけることができる。そのため、動作強度判定テーブルを用いてユーザが主観的に入力した動作の強度を自動的に判定することができる。
（４）動作情報を出力する場合の出力強度と強度情報を出力強度設定テーブルで対応づけることができる。そのため、出力強度設定テーブルを用いてユーザが主観的に強度情報で指定されている強度と感じる強度にて動作情報を出力することができる。
【０１０７】
（５）動作情報の入力者の主観・意図と動作情報特性の対応づけを行い、動作情報入力時に動作情報特性から得られる動作情報入力者の主観と動作情報を組み合わせて情報送信を行い、また、情報受信者の触覚に関する主観に対応づけて触覚情報出力を行うことができる。
【０１０８】
また、本実施の形態では、次のような情報処理装置（端末装置）を提供することもできる。
人間の動作情報を入力する動作情報入力部と触覚情報として情報を出力する触覚情報出力部を有する情報処理装置において、動作情報入力者の主観と動作情報特性の対応付けを行い、動作情報入力時に動作情報特性から得られる動作情報入力者の主観と動作情報を組み合わせて情報送信を行い、また、情報受信者の触覚に関する主観に対応付けて触覚情報出力を行うことを特徴とする情報処理装置。ここで、動作情報入力部として加速度センサを用いることができる。また、動作情報入力部として圧力センサを用いるもできる。更に、触覚情報出力部として振動子を用いることができる。
【０１０９】
なお、本実施の形態では、端末装置の一例として携帯電話９を用いたが、据え置き型のパーソナルコンピュータなどを用いて構成することもできる。
この場合は、加速度センサ２８、圧力センサ３０、振動子３２などを内蔵する外付け型周辺機器を用意し、これをパーソナルコンピュータに接続するなどして実現することができる。
また、この際に、磁気ディスク、ＣＤ（Ｃｏｍｐａｃｔ  Ｄｉｓｃ）、ＤＶＤ（Ｄｉｇｉｔａｌ  Ｖｅｒｓａｔｉｌｅ  Ｄｉｓｃ）などのコンピュータが読み取り可能な記憶媒体に動作伝達プログラムを記録して頒布することもできる。
【図面の簡単な説明】
【０１１０】
【図１】本実施の形態の概要を説明するための図である。
【図２】本実施の形態で使用する携帯電話の機能的な構成を示した図である。
【図３】タグ情報を説明するための図である。
【図４】携帯電話の外観、及びデバイス類の実装状況を示した図である。
【図５】強度情報設定処理を説明するためのフローチャートである。
【図６】「振る」動作強度判定テーブルの論理的な構成を示した図である。
【図７】「握る」動作強度判定テーブルの論理的な構成を示した図である。
【図８】動作情報を送信する手順について説明するためのフローチャートである。
【図９】振動出力設定処理を説明するためのフローチャートである。
【図１０】出力強度設定テーブルの論理的な構成を示した図である。
【図１１】動作情報を再生する手順を説明するためのフローチャートである。
【図１２】駆動信号生成処理を説明するためのフローチャートである。
【図１３】振動子を振動させる方法の１つを説明するための図である。
【符号の説明】
【０１１１】
２  携帯電話              ３  携帯電話
５  動作情報              ６  変化情報
７  強度情報              ９  携帯電話
１８  情報処理部          ２０  記憶部
２１  動作情報制御部      ２８  加速度センサ
３０  圧力センサ          ３２  振動子
【図１】
2006014141.tif 000003
【図２】
2006014141.tif 000004
【図３】
2006014141.tif 000005
【図４】
2006014141.tif 000006
【図５】
2006014141.tif 000007
【図６】
2006014141.tif 000008
【図７】
2006014141.tif 000009
【図８】
2006014141.tif 000010
【図９】
2006014141.tif 000011
【図１０】
2006014141.tif 000012
【図１１】
2006014141.tif 000013
【図１２】
2006014141.tif 000014
【図１３】
2006014141.tif 000015